(57)【要約】【課題】  コイルスプリングを傾き難くして動作時の不快音を解消し、インナーキャップの塗布部への確実な嵌め込みを可能にし、またコイルスプリングとキャップとの間のこ擦れによる不快音も極力抑えることができるインナーキャップ付きキャップを提供すること。【解決課題】  キャップ本体と、該キャップ本体内に装着されるインナーキャップとを備え、前記キャップ本体とインナーキャップ間にコイルスプリングを介在させて、キャップ本体内の所定区間軸方向に移動自在となる該インナーキャップを、コイルスプリングによってキャップ本体開口部側に向けて付勢しうるインナーキャップ付きキャップにおいて、前記コイルスプリングはその中央部分の径が両端部の径より大きいことを特徴とする。【選択図】  図２
2006255922.tif 000002
【特許請求の範囲】
【請求項１】
キャップ本体と、該キャップ本体内に装着されるインナーキャップとを備え、前記キャップ本体とインナーキャップ間にコイルスプリングを介在させて、キャップ本体内の所定区間軸方向に移動自在となる該インナーキャップを、コイルスプリングによってキャップ本体開口部側に向けて付勢しうるインナーキャップ付きキャップにおいて、
前記コイルスプリングはその中央部分の径が両端部の径より大きいことを特徴とするインナーキャップ付きキャップ。
【請求項２】
前記コイルスプリングの最大外径（Ｂ）と、コイルスプリングの端部の少なくとも一方の最小外径（Ｓ）とは、０．６≦（Ｓ）／（Ｂ）≦０．９の関係を満たすことを特徴とする請求項１記載のインナーキャップ付きキャップ。
【請求項３】
前記コイルスプリングの最大外径（Ｂ）とキャップ本体内の内径（Ｃ）との間の隙間は、０．３ｍｍ以下にあることを特徴とする請求項１又は２記載のインナーキャップ付きキャップ。
【請求項４】
前記インナーキャップはその外径が開口部から先端部に向けて小径な先細りに形成され、該開口部と先端部の間の外壁に前記コイルスプリングの端部受けが鍔状に形成され、且つその顎部の外径が前記キャップ本体の内径とほぼ同じ形成され、また前記キャップ本体の内壁に、該顎部を係止する突起部が形成されている請求項１〜３の何れかに記載のインナーキャップ付きキャップ。
【発明の詳細な説明】
【技術分野】
【０００１】
本発明は、筆記具、化粧具等のキャップに関するものであり、特に、キャップと、そのキャップ内に装着されるインナーキャップとの二重構造からなり、キャップとインナーキャップ間にコイルスプリングを介在させて、キャップ内の所定区間軸方向に移動自在なインナーキャップをコイルスプリングの弾性によりキャップ開口部側に向けて付勢しうるインナーキャップ付きキャップに関するものである。
【背景技術】
【０００２】
従来、インナーキャップ付きキャップの構造として種々提案されている（例えば、特許文献１及び特許文献２を参照）。
例えば、図３に示す如く、キャップ本体７１の内部にインナーキャップ７２を具えた二重キャップ構造のものが提案されている。コイルスプリング７３は、その一端がキャップ本体７１の天面７４に当接し、その他端がインナーキャップ７２に設けられた段差部７５に当接している。コイルスプリング７３はその圧縮時にインナーキャップ７２をキャップ本体の開口端７６側に向けて付勢する。
【０００３】
しかしながら、従来のこのような構成のインナーキャップ付きキャップにあっては、その使用に際して、コイルスプリングが圧縮されたときに不具合がみられた。特に、キャップ本体の内径とコイルスプリングの外径との隙間（クリアランス）が大きい場合やそのクリアランスが極めて小さい場合に不具合が見られる。クリアランスが大きい場合には、動作時にコイルスプリングがキャップの内壁の一方に傾き座屈が生じ易くなり、キャップ内壁に座屈部分が摺擦して不快音を起こし、場合によってはコイル同士が絡まり動作不能に至る。また過大なクリアランス構造は、同時にインナーキャップも傾いて、ペン塗布部の先軸とのシール性に不具合を起こす。また、一方、キャップ本体の内径とコイルスプリングの外径のクリアランスが小さい場合には、動作時にコイルスプリングとキャップがこ擦れてこれもまた不快音を生じることがある。
【特許文献１】実開昭６２−１３１８８４号公報
【特許文献２】特開２０００−２５３８５号公報
【発明の開示】
【発明が解決しようとする課題】
【０００４】
本発明は、上記課題を解決するためになされたものであり、コイルスプリングを傾き難くして動作時の不快音を解消し、インナーキャップの塗布部への確実な嵌め込みを可能にし、またコイルスプリングとキャップとの間のこ擦れによる不快音も極力抑えることができるインナーキャップ付きキャップを提供することにある。
【課題を解決するための手段】
【０００５】
本発明者は、従来のコイルスプリングがストレートの形状を有しているために、キャップ本体内壁とコイルスプリングとのクリアランスが大きいと、動作時にコイルスプリングが傾き、また逆にこのようなクリアランスを小さくすると、不快な摺擦音がでることを突き止め、このような課題を解決するためには、コイルスプリングを太鼓状或いはビア樽状に中央を膨らますような形状にすると、キャップ本体内壁とコイルスプリングとの間にクリアランスの十分な許容性を生むことを見出し、本発明に至ったものである。
即ち、本発明に係るインナーキャップ付きキャップは、以下の構成或いは手段からなることを特徴とし、上記課題を解決するものである。
【０００６】
（１）キャップ本体と、該キャップ本体内に装着されるインナーキャップとを備え、前記キャップ本体とインナーキャップ間にコイルスプリングを介在させて、キャップ本体内の所定区間軸方向に移動自在となる該インナーキャップを、コイルスプリングによってキャップ本体開口部側に向けて付勢しうるインナーキャップ付きキャップにおいて、前記コイルスプリングはその中央部分の径が両端部の径より大きいことを特徴とするインナーキャップ付きキャップ。
【０００７】
（２）前記コイルスプリングの最大外径（Ｂ）と、コイルスプリングの端部の少なくとも一方の最小外径（Ｓ）とは、０．６≦（Ｓ）／（Ｂ）≦０．９の関係を満たすことを特徴とする請求項１記載のインナーキャップ付きキャップ。
【０００８】
（３）前記コイルスプリングの最大外径（Ｂ）とキャップ本体内の内径（Ｃ）との間の隙間は、０．３ｍｍ以下にあることを特徴とする請求項１又は２記載のインナーキャップ付きキャップ。
【０００９】
（４）前記インナーキャップはその外径が開口部から先端部に向けて小径な先細りに形成され、該開口部と先端部の間の外壁に前記コイルスプリングの端部受けが鍔状に形成され、且つその顎部の外径が前記キャップ本体の内径とほぼ同じ形成され、前記キャップ本体の内壁に、該顎部を係止する突起部が形成されている請求項１〜３の何れかに記載のインナーキャップ付きキャップ。
【発明の効果】
【００１０】
本発明に係るインナーキャップ付きキャップは、コイルスプリングの中央部分の径が両端部の径より大きい、即ち、コイルスプリングを太鼓状或いはビア樽状に形成することにより、動作時にコイルスプリングはキャップ本体の一方に傾いて座屈などが生じ難くなり、キャップ本体の内壁とコイルスプリングとの間のクリアランスを十分に取ることができる。またクリアランスを小さくしたとしても、コイルスプリングは最大外径部分の所のみがクリアランスの内壁に摺接して不快音も極力抑えることができる。
【発明を実施するための最良の形態】
【００１１】
以下、本発明に係るインナーキャップ付きキャップの好ましい実施の形態を、添付図面に従って詳説する。尚、本発明に係るインナーキャップ付きキャップは以下の実施の形態に限られるものではない。
図１は、本発明に係るインナーキャップ付きキャップが使用された筆記具の側断面図である。図２は、図１のインナーキャップ付きキャップの断面図である。
【００１２】
本発明に係るインナーキャップ付きキャップを説明する前に、キャップが使用される筆記具について簡単に説明する。
筆記具１は、軸筒１１の本体、及び軸筒１１に着脱可能に設けられるカートリッジタンク１２を有する。カートリッジタンク１２内には塗布液が貯留され、タンク１２の後端の開口には摺動可能な密封プラグ１３が取り付けられる。密封プラグ１３にはネジ式ロッド１４の先端がプラグ１３と回転自由に取り付けられ、ネジ式ロッド１３は支持部材１５と螺合部１４ａで螺合している。支持部材１５はカートリッジタンク１２の内壁に回転不能に固定され、従って、ネジ式ロッド１４は回動又は回転することにより、支持部材１５に対して軸方向に移動させられる。
【００１３】
ネジ式ロッド１４と支持部材１５との間隙には、回転伝達部材１６の前端部分が挿通され、回転伝達部材１６に形成されたラチェット部１６ａは支持部材１５とラチェット接続している。このため、回転伝達部材１６はラチェット部１６ａにより、操作時に一方向に所定量毎に回動し、反対方向に回動しないようになっている。また、回転伝達部材１６とネジ式ロッド１４との係合部１６ｂは、回転伝達部材１６の回転をロッド１４に伝達するが、軸方向は互いに摺接可能となっている。回転伝達部材１６の後端は尾栓１７で覆われ、尾栓１７は、回転伝達部材１６と互いに回転不能になっている一方、軸筒１１には回転可能に取り付けられる。
【００１４】
軸筒１１の先端には一体成形されてなる取付部１１ａが形成され、取付部１１ａの後端側にはカートリッジタンク１２の先端部が装着され、また先端側には塗布部２が装着される。塗布部２は塗布体２１、塗布体２１を保持する先軸２２、及び塗布体２１の基端支持部材２３、２４からなる。カートリッジタンク１２の塗布液は通路２５を介して塗布体２１に供給される。また先軸２２の外壁面は後述するインナーキャップ付きキャップ３のインナーキャップ３２と気密に覆われる。
【００１５】
本実施形態のインナーキャップ付きキャップ３は、図２に示す如く、キャップ本体３１と、キャップ本体３１内に装着されるインナーキャップ３２とを備えている。またキャップ本体３１とインナーキャップ３２間にコイルスプリング３３を介在させている。インナーキャップ付きキャップ１は、キャップ本体３１内の一定内径を有する所定区間軸方向に移動自在となるインナーキャップ３２をコイルスプリング３３によりキャップ本体３１開口部３４側に向けて付勢しうるものである。
そして、コイルスプリング３３はその中央部分の径が両端部の径より大きくなっている。以下に、インナーキャップ付きキャップ３を更に詳しく説明する。
【００１６】
前記コイルスプリング３３において、コイルスプリングの最大外径（Ｂ）と、コイルスプリングの端部の最小外径（Ｓ）とは、０．６≦（Ｓ）／（Ｂ）≦０．９の関係を満たすものであることが好ましい。
上記関係を有するコイルスプリング３３であれば、キャップ本体内径とコイルスプリングの外径との間のクリアランスが多少あっても内壁の一方にコイルが傾くことがなく、インナーキャップ３２が傾くこともない。コイルスプリングの（Ｓ）／（Ｂ）が０．６未満であると、上述のクリアランスは十分に取れず、またコイルが傾く不具合が生じやすくなる。一方、コイルスプリングの（Ｓ）／（Ｂ）が０．９を超えると、インナーキャップ３２の外径の小さい先端近くに、所謂コイルスプリングの端部受けを配置しなければならず、コイルスプリングの長さを十分に確保することができなくなる。
尚、コイルスプリング３３の端部の最小外径（Ｓ）は、本実施態様ではともに最小外径としたが、どちらか一方が最小外径で良く、例えば、キャップ本体３１の天面に当接するコイルスプリング３３の端部の径は最小である必要はないが最大外径以下である。
【００１７】
従来、キャップ本体３１の内壁とコイルスプリング３３との作動時の摺接による不快音は、上述のようにコイルスプリングの座屈による摺接と、キャップ本体３１の内径とコイルスプリングの外径とのクリアランスが極めて少ない場合に生じる。本実施態様の前記コイルスプリング３３では、クリアランスを０ｍｍとした場合、作動時、その最大外径（Ｂ）の一部との摺接であるため不快音の不具合が少ない。従って、コイルスプリング３３の最大外径（Ｂ）とキャップ本体内の内径（Ｃ）との間の隙間は、０．３ｍｍ以下にあることが好ましく、より好ましくは、０．２ｍｍ〜０．２５ｍｍの範囲である。上記範囲を超える隙間では、インナーキャップ３２が傾いて先軸２２に嵌装するので気密性を損なう。
【００１８】
前記インナーキャップ３２はその外径が開口部３４から先端部に向けて小径な先細りに形成される。開口部３４と先端部の間の外壁にはコイルスプリング３３の端部受けが鍔状に形成され、その顎部３６の外径はキャップ本体３１の一定内径とほぼ同じ形成される。
また、インナーキャップ３２がキャップ本体３１から脱抜しないように、キャップ本体３１の内壁には顎部３６を係止する突起部３７が形成されている。顎部３６の外径とキャップ本体３１の内径をほぼ同じ大きさに設けることは、インナーキャップ３２が動作中に傾くことを防止する。従って、このような顎部３６の形成と共に、コイルスプリング３３の太鼓形状或いはビア樽形状は、動作時のインナーキャップ３２の動きを不具合なく、スムースにする。
尚、本実施態様では、筆記具等に用いたが、化粧料、その他の塗布具のキャップとして同様に使用することができる。
【産業上の利用可能性】
【００１９】
本発明に係るインナーキャップ付きキャップは、動作時のキャップ操作が良好で、不快音なども全く生じない筆記具又は化粧品容器のキャップとなるものであり、産業上の利用可能性の高いものである。
【図面の簡単な説明】
【００２０】
【図１】図１は、本発明に係るインナーキャップ付きキャップが使用された筆記具の側断面図である。
【図２】図２は、図１のインナーキャップ付きキャップの断面図である。
【図３】図３は、従来のインナーキャップ付きキャップの断面図である。
【符号の説明】
【００２１】
１            筆記具
２            塗布部
３            キャップ
３１          キャップ本体
３２          インナーキャップ
３３          コイルスプリング
【図１】
2006255922.tif 000003
【図２】
2006255922.tif 000004
【図３】
2006255922.tif 000005